(57)【要約】【課題】利便性を向上させることができる端末装置、決済装置、および表示制御プログラムを提供することである。【解決手段】実施形態の端末装置は、表示部と、通信部と、第１の表示制御部と、受付部と、第２の表示制御部とを持つ。表示部は、画像を表示する。表示部は、画像を表示する。通信部は、外部装置と通信する。第１の表示制御部は、前記通信部により外部装置から受信された情報に基づいて、自動改札機を通過するための第１画像を前記表示部に表示させる。受付部は、利用者の操作を受け付ける。第２の表示制御部は、前記受付部により受け付けられた前記利用者の操作に基づいて、物販の決済を行うための第２画像を前記表示部に表示させるための情報を、前記通信部を用いて外部装置に送信させ、前記通信部によって前記外部装置から受信した情報に基づいて、前記第２画像を前記表示部に表示させる。【選択図】図２
2018022451.tif 000002
【特許請求の範囲】
【請求項１】
画像を表示する表示部と、
外部装置と通信する通信部と、
前記通信部により外部装置から受信された情報に基づいて、自動改札機を通過するための第１画像を前記表示部に表示させる第１の表示制御部と、
利用者の操作を受け付ける受付部と、
前記受付部により受け付けられた前記利用者の操作に基づいて、物販の決済を行うための第２画像を前記表示部に表示させるための情報を、前記通信部を用いて外部装置に送信させ、前記通信部によって前記外部装置から受信した情報に基づいて、前記第２画像を前記表示部に表示させる第２の表示制御部と、
を備える端末装置。
【請求項２】
前記第２の表示制御部は、前記表示部によって前記第１画像が表示されているときに、前記受付部により前記第１画像から前記第２画像への切替指示が受け付けられた場合、前記表示部に表示されている前記第１画像を、前記第２画像に切り替えて表示させる、
請求項１に記載の端末装置。
【請求項３】
前記第２の表示制御部は、前記表示部によって前記第２画像が表示されているときに、前記受付部により前記第２画像から前記第１画像への切替指示が受け付けられた場合、または前記第１画像から前記第２画像に切り替えられてから所定時間が経過した場合に、前記表示部に表示されている前記第２画像を、前記第１画像に切り替えて表示させる、
請求項１または２に記載の端末装置。
【請求項４】
前記第２の表示制御部は、前記第２画像とともに、前記第２画像を用いた物販の決済が可能な有効期限を、前記表示部に表示させる、
請求項１から３のうち、いずれか１項に記載の端末装置。
【請求項５】
前記第２の表示制御部は、前記第２画像に対応して設定された有効期限が切れている場合に、前記第２画像を前記表示部に表示させないように制御する、
請求項１から４のうち、いずれか１項に記載の端末装置。
【請求項６】
端末装置から物販の決済を行うための画像の要求を受け付ける要求受付部と、
前記要求受付部により受け付けた要求に対応する画像を、前記端末装置に送信する通信部と、
画像読取装置により読み取られた前記画像に関する情報を前記通信部により受信し、受信した前記画像に関する情報に基づいて、前記物販の決済の可否を判定し、判定結果を前記通信部によって前記画像読取装置に送信する物販決済処理部と、
を備える決済装置。
【請求項７】
端末装置のコンピュータに、
通信部により外部装置から受信された情報に基づいて、自動改札機を通過するための第１画像を表示部に表示させ、
受付部により利用者の操作を受け付け、
前記受付部により受け付けられた前記利用者の操作に基づいて、物販の決済を行うための第２画像を前記表示部に表示させるための情報を、前記通信部を用いて外部装置に送信させ、前記通信部によって前記外部装置から受信した情報に基づいて、前記第２画像を前記表示部に表示させる、
表示制御プログラム。
【発明の詳細な説明】
【技術分野】
【０００１】
本発明の実施形態は、端末装置、決済装置、および表示制御プログラムに関する。
【背景技術】
【０００２】
従来、自動改札機を通過するのに必要な各種情報がエンコードされたＱＲコード（登録商標）等の画像を、端末装置の表示画面に表示させて、乗車券として利用する技術が知られている。この場合、自動改札機側では、利用者の通過時に、上記の画像をカメラ等で撮像し、画像解析によって各種情報を読み取って通過可否の判定を行う。一方、電子マネーをチャージ可能な交通系のＩＣ（Integrated Circuit）カードが広く普及している。このＩＣカードは、物販の決済にも使用することができる。しかしながら、端末装置に画像を表示する場合、その端末装置を物販の決済に用いることができず、ＩＣカードに比して利便性が低くなる場合があった。
【先行技術文献】
【特許文献】
【０００３】
【特許文献１】特開２００７−１２２４５７号公報
【特許文献２】特開２００２−１４０７５６号公報
【特許文献３】国際公開第２００４／０９０８０４号
【発明の概要】
【発明が解決しようとする課題】
【０００４】
本発明が解決しようとする課題は、利便性を向上させることができる端末装置、決済装置、および表示制御プログラムを提供することである。
【課題を解決するための手段】
【０００５】
実施形態の端末装置は、表示部と、通信部と、第１の表示制御部と、受付部と、第２の表示制御部とを持つ。表示部は、画像を表示する。通信部は、外部装置と通信する。第１の表示制御部は、前記通信部により外部装置から受信された情報に基づいて、自動改札機を通過するための第１画像を前記表示部に表示させる。受付部は、利用者の操作を受け付ける。第２の表示制御部は、前記受付部により受け付けられた前記利用者の操作に基づいて、物販の決済を行うための第２画像を前記表示部に表示させるための情報を、前記通信部を用いて外部装置に送信させ、前記通信部によって前記外部装置から受信した情報に基づいて、前記第２画像を前記表示部に表示させる。
【図面の簡単な説明】
【０００６】
【図１】実施形態における鉄道利用管理システム１の構成の一例を示す図。
【図２】実施形態における端末装置１０の構成の一例を示す図。
【図３】乗車券購入アプリ３１が起動された際に、端末装置１０の表示部１２に乗車券購入のための入力画面が表示された様子を示す図。
【図４】乗車券の表示画面が表示された様子を示す図。
【図５】物販決済アプリ３２が起動された際に、端末装置１０の表示部１２に物販決済用のコードを取得するためのコード取得画面が表示された様子を示す図。
【図６】物販決済コードの表示画面が表示された様子を示す図。
【図７】実施形態における自動改札機１００を上方から見た図。
【図８】自動改札機１００の第１画像読取部１１１を上方から見た図。
【図９】実施形態における決済機器３００の概略構成の一例を示す図。
【図１０】決済機器３００の第２画像読取部３１０を上方から見た図。
【図１１】実施形態における決済機器３００の機能構成の一例を示す図。
【図１２】実施形態におけるセンターサーバ装置４００の機能構成の一例を示す図。
【図１３】実施形態における決済サーバ装置５００の機能構成の一例を示す図。
【図１４】物販決済用情報データベース５３２の一例を示す図。
【図１５】第２の効力情報データベース５３４の一例を示す図。
【図１６】購入履歴データベース５３６の一例を示す図。
【図１７】実施形態における鉄道利用管理システム１の処理の一例を示すシーケンス図。
【図１８】実施形態における物販決済処理の一例を示すシーケンス図。
【図１９】端末装置１０における表示切替処理の一例を示すフローチャート。
【図２０】実施形態における物販決済用読取画像の複製の様子を示す図。
【発明を実施するための形態】
【０００７】
以下、実施形態の端末装置、決済装置、および表示制御プログラムを、図面を参照して説明する。なお、以下の説明では、端末装置を保有する利用者が鉄道を利用しているときに、端末装置を用いて物販の決済を行う例について説明する。
【０００８】
［全体構成］
図１は、実施形態における鉄道利用管理システム１の構成の一例を示す図である。鉄道利用管理システム１は、鉄道の駅における入出場の管理を行うシステムである。鉄道利用管理システム１は、例えば、端末装置１０と、自動改札機１００と、駅務サーバ装置２００と、決済機器３００と、センターサーバ装置４００と、決済サーバ装置５００とを備える。図１の例において、各駅には、少なくとも一つの自動改札機１００、駅務サーバ装置２００、および決済機器３００が設置される。
【０００９】
端末装置１０は、利用者によって利用される携帯可能な端末装置である。端末装置１０は、例えば、スマートフォン等の携帯電話、タブレット端末、ＰＤＡ（Personal Digital Assistant）等である。端末装置１０は、自動改札機１００に翳す媒体として利用される。すなわち、鉄道利用管理システム１では、端末装置１０が乗車券として利用される。
【００１０】
端末装置１０の画面上には、端末装置１０を乗車券として機能させるための第１の読取画像ＣＤ１（「第１画像」の一例）が表示される。第１の読取画像ＣＤ１は、利用者が自動改札機１００を通過する際に自動改札機１００によって読み取られる。なお、第１の読取画像ＣＤ１は、例えばＡ駅の自動改札機１００を通過して駅構内に入場するための画像と、Ｂ駅の自動改札機１００を通過して駅構外に出場するための画像とを含む。
【００１１】
第１の読取画像ＣＤ１は、例えば、ＱＲコード等の二次元コードや、バーコード等の一次元コード等である。これらの各種コードは、例えば、乗車券としての効力情報（以下、「第１の効力情報」と称する）、または第１の効力情報とその他情報とを含めた情報がエンコードされたものである。第１の効力情報は、例えば、有効期間、入場駅（発駅）の識別情報、乗車可能区間、第１の読取画像ＣＤ１のそれぞれを識別するコード識別情報（コードＩＤ）等を含む情報である。また、その他情報は、例えば、端末装置１０における設定言語等を含む情報である。なお、第１の読取画像ＣＤ１は、機械（自動改札機１００）によって内容が認識可能であるとともに、人が視認することによって内容が認識できないものであれば如何なる態様であってもよい。
【００１２】
また、端末装置１０は、決済機器３００に翳す媒体として利用される。端末装置１０の画面上には、端末装置１０を用いて物販の決済を行うための第２の読取画像ＣＤ２（「第２画像」の一例）が表示される。第２の読取画像ＣＤ２は、端末装置１０が決済サーバ装置５００に対して、ユーザ登録や物販購入に関する決済方法（例えば、クレジット決済またはデビット決済）等の登録を行うことにより、決済サーバ装置５００から提供される情報である。第２の読取画像は、決済機器３００により読み取られる。
【００１３】
第２の読取画像ＣＤ２は、例えば、ＱＲコード等の二次元コードや、バーコード等の一次元コード等である。これらの各種コードは、例えば、電子マネーや決済を行うＩＣカードとしての効力情報（以下、「第２の効力情報」と称する）、または第２の効力情報とその他情報とを含めた情報がエンコードされたものである。第２の効力情報は、例えば利用者を識別する識別情報、第２の読取画像ＣＤ２を用いて決済ができる有効期限、第２の読取画像ＣＤ２のそれぞれを識別するコード識別情報（コードＩＤ）等を含む情報である。また、その他情報は、例えば、端末装置１０における設定言語等を含む情報である。なお、第２の読取画像ＣＤ２は、機械（決済機器３００）によって内容が認識可能であるとともに、人が視認することによって内容が認識できないものであれば如何なる態様であってもよい。
【００１４】
また、端末装置１０は、利用者からの指示等に基づいて、画面に表示されている第１の読取画像ＣＤ１を第２の読取画像ＣＤ２に切り替えたり、画面に表示されている第２の読取画像ＣＤ２を第１の読取画像ＣＤ１に切り替える制御を行う。
【００１５】
自動改札機１００は、例えば、駅の改札口に設けられる。自動改札機１００は、端末装置１０の表示画面に表示された第１の読取画像ＣＤ１から情報を読み取ることによって、利用者の通過を許可または禁止する。なお、本実施形態において自動改札機１００は、第１の読取画像ＣＤ１のみを処理可能な装置として説明するがこれに限られない。例えば、自動改札機１００は、さらに交通系ＩＣカードや磁気券、コードが印刷された紙券等を並行して処理可能な装置であってもよい。
【００１６】
駅務サーバ装置２００は、例えば、ＬＡＮ（Local Area Network）等のネットワークを介して通信を行う。また、駅務サーバ装置２００は、自動改札機１００から取得した情報を、ＬＡＮやＷＡＮ（Wide Area Network）等を含むネットワークＮＷを介して、センターサーバ装置４００に送信する。さらに、駅務サーバ装置２００は、センターサーバ装置４００から受信した情報を自動改札機１００等に送信する。
【００１７】
決済機器３００は、端末装置１０に表示された第２の読取画像ＣＤ２を読み取り、物販の決済を行う。決済機器３００は、例えば自動販売機や、駅構内の売店等に設置されるＰＯＳ（Point Of Sales）端末等である。決済機器３００は、駅務サーバ装置２００を介してネットワークＮＷと接続し、読み取った第２の読取画像ＣＤ２から得られる情報を決済サーバ装置５００に送信する。なお、決済機器３００は、駅務サーバ装置２００を経由せずに、直接ネットワークＮＷを介して決済サーバ装置５００と通信してもよい。また、決済機器３００は、決済サーバ装置５００から受信した決済の許可または不許可の内容を決済機器３００の画面に表示する。決済機器３００は、「画像読取装置」の一例である。
【００１８】
センターサーバ装置４００は、駅務サーバ装置２００およびネットワークＮＷを介して自動改札機１００から受信した情報に基づいて、種々の処理を行う。また、センターサーバ装置４００は、端末装置１０とネットワークＮＷを介して通信を行う。センターサーバ装置４００は、「管理装置」の一例である。
【００１９】
決済サーバ装置５００は、端末装置１０を保有する利用者との間で、物販購入時の決済に対する事前の登録処理を行い、登録後に端末装置１０に第２の読取画像ＣＤ２に関する情報を送信する。また、決済サーバ装置５００は、端末装置１０から第２の読取画像ＣＤ２を取得するための問い合わせがあった場合に、第２の読取画像ＣＤ２に関する情報を送信してもよい。また、決済サーバ装置５００は、事前の登録処理が完了した端末装置１０に対して、ネットワークＮＷに接続される外部装置から第２の読取画像ＣＤ２に関する情報を提供させてもよい。すなわち、第２の読取画像ＣＤ２を端末装置１０に送信する装置は、決済サーバ装置５００と一体でもよく、別体でもよい。
【００２０】
また、決済サーバ装置５００は、決済機器３００により読み取られた第２の読取画像ＣＤ２から得られる情報に基づいて、端末装置１０の利用者ごとに購入履歴等を管理する。決済サーバ装置５００は、「決済装置」の一例である。また、センターサーバ装置４００および決済サーバ装置５００のうち一方または双方は、「外部装置」の一例である。
【００２１】
以下、端末装置１０、自動改札機１００、決済機器３００、センターサーバ装置４００、および決済サーバ装置５００についてそれぞれ説明する。
【００２２】
［端末装置］
まず、端末装置１０について説明する。図２は、実施形態における端末装置１０の構成の一例を示す図である。端末装置１０は、例えば、操作部１１と、表示部１２と、端末側通信部１３と、乗車券購入処理部１４と、第１の表示制御部１５と、物販決済処理部１６と、第２の表示制御部１７と、端末側記憶部３０とを備える。乗車券購入処理部１４、第１の表示制御部１５、物販決済処理部１６、および第２の表示制御部１７の各機能のうち一部または全部は、ＬＳＩ（Large Scale Integration）、ＡＳＩＣ（Application Specific Integrated Circuit）、ＦＰＧＡ（Field-Programmable Gate Array）等のハードウェアによって実現されてもよいし、ソフトウェアとハードウェアの協働によって実現されてもよい。
【００２３】
操作部１１は、例えば、ボタン、キーボード、マウス、マイク、タッチパネル等のユーザインターフェースである。なお、表示部１２がタッチパネルである場合、操作部１１の一部は表示部１２と一体として形成される。操作部１１は、例えば、利用者による、第１の読取画像ＣＤ１および第２の読取画像ＣＤ２を表示部１２に表示させるための入力操作を受け付ける。また、操作部１１は、第１の読取画像ＣＤ１と第２の読取画像ＣＤ２との画面表示を切り替える切り替え操作を受け付ける。操作部１１は、「受付部」の一例である。
【００２４】
表示部１２は、例えば、ＬＣＤ（Liquid Crystal Display）や有機ＥＬ（Electroluminescence）ディスプレイ等の表示装置を含む。表示部１２は、乗車券購入処理部１４および物販決済処理部１６等によって出力される情報に基づいて各種画像を表示する。
【００２５】
端末側通信部１３は、図示しない無線基地局により仲介されるセルラー網やＷｉ−Ｆｉ網、専用回線、プロバイダ、インターネット等を介してセンターサーバ装置４００および決済サーバ装置５００と通信する。なお、端末側通信部１３は、他の端末装置１０と通信を行ってもよい。
【００２６】
乗車券購入処理部１４は、ＣＰＵ（Central Processing Unit）等のプロセッサが端末側記憶部３０に記憶されたプログラム（例えば、乗車券購入アプリ３１）を実行することにより実現される。プログラムは、例えば、ネットワークＮＷを介してアプリケーションサーバやセンターサーバ装置４００からダウンロードされてもよいし、ＳＤカード等の可搬型記憶媒体に格納されたものが端末装置１０にインストールされてもよい。
【００２７】
第１の表示制御部１５は、乗車券購入処理部１４により乗車券を購入するための情報の入力を受け付ける入力画面を表示部１２に表示させたり、入力画面に入力された情報を端末側通信部１３によりセンターサーバ装置４００に送信させる。また、第１の表示制御部１５は、端末側通信部１３により受信された乗車券に関する情報（例えば、第１の読取画像ＣＤ１）を表示部１２に表示させる。また、第１の表示制御部１５は、例えば操作部１１により受け付けた内容に基づいて、表示部１２に表示される第１の読取画像ＣＤ１と第２の読取画像ＣＤ２との切り替え制御を行う。
【００２８】
物販決済処理部１６は、ＣＰＵ等のプロセッサが端末側記憶部３０に記憶されたプログラム（例えば、物販決済アプリ３２）を実行することにより実現される。プログラムは、例えば、ネットワークＮＷを介してアプリケーションサーバや決済サーバ装置５００からダウンロードされてもよいし、ＳＤカード等の可搬型記憶媒体に格納されたものが端末装置１０にインストールされてもよい。
【００２９】
第２の表示制御部１７は、物販決済処理部１６により第２の読取画像ＣＤ２を取得するための情報の入力を受け付ける取得画面を表示部１２に表示させたり、取得画面に入力された情報を端末側通信部１３により決済サーバ装置５００に送信させる。また、第２の表示制御部１７は、端末側通信部１３により受信された物販決済に関する情報（例えば、第２の読み取画像ＣＤ２）を表示部１２に表示させる。また、第２の表示制御部１７は、例えば操作部１１により受け付けた内容に基づいて、表示部１２に表示される第１の読取画像ＣＤ１と第２の読取画像ＣＤ２との切り替え制御を行う。
【００３０】
例えば、第２の表示制御部１７は、表示部１２によって第１の読取画像ＣＤ１が表示されているときに、操作部１１により第１の読取画像ＣＤ１から第２の読取画像ＣＤ２への切替指示が受け付けられた場合、表示部１２に表示されている第１の読取画像ＣＤ１を、第２の読取画像ＣＤ２に切り替える制御を行う。また、第２の表示制御部１７は、表示部１２によって第２の読取画像ＣＤ２が表示されているときに、操作部１１により第２の読取画像ＣＤ２から第１の読取画像ＣＤ１への切替指示が受け付けられた場合、または第１の読取画像ＣＤ１から第２の読取画像ＣＤ２に切り替えられてから所定時間が経過した場合に、表示部１２に表示されている第２の読取画像ＣＤ２を、第１の読取画像ＣＤ１に切り替えて表示させる。
【００３１】
また、第２の表示制御部１７は、第２の読取画像ＣＤ２に設定された有効期限が切れている場合に、第２の読取画像ＣＤ２を表示部１２に表示させないように制御してもよい。また、第２の表示制御部１７は、有効期限切れであることを示す情報を表示部１２に表示させてもよい。なお、有効期限の情報は、例えば決済サーバ装置５００から取得する。これにより、第２の読取画像ＣＤ２が有効期限切れであることを、利用者に迅速に把握させることができるとともに、決済機器３００や決済サーバ装置５００における決済可否判定等を省略できるため、システム負荷を軽減させることができる。
【００３２】
端末側記憶部３０は、例えば、ＲＯＭ（Read Only Memory）、フラッシュメモリ、ＨＤＤ（Hard Disk Drive）、ＳＤカード等の不揮発性の記憶媒体と、ＲＡＭ（Random Access Memory）、レジスタ等の揮発性の記憶媒体とによって実現される。端末側記憶部３０は、プロセッサが実行する乗車券購入アプリ３１および物販決済アプリ３２等のプログラムを格納する。
【００３３】
図３は、乗車券購入アプリ３１が起動された際に、端末装置１０の表示部１２に乗車券購入のための入力画面が表示された様子を示す図である。この入力画面は、予めユーザ登録をしておき、例えばユーザＩＤやパスワードを入力してログインした後に、所定の操作をすることで表示される。例えば、乗車券購入アプリ３１がタッチ操作される等して起動すると、第１の表示制御部１５は、乗車券購入処理部１４からの指示により乗車券購入のための入力画面を端末装置１０に表示させる。
【００３４】
入力画面には、日本語や英語、フランス語、中国語等といった端末装置１０の設定言語を設定するための領域Ａ１、乗車区間を指定するための領域Ａ２、乗車券の効力が有効開始となる乗車日を指定するための領域Ａ３、乗車券の発行要求を確定するためのボタンＢ１等が設けられてよい。端末装置１０の設定言語は、乗車券購入アプリ３１内での設定言語であってもよいし、端末装置１０のＯＳ（Operating System）の設定言語であってもよい。
【００３５】
また、入力画面には、乗車券購入に係る費用に対する決済方式を指定するための領域（不図示）等が設けられていてもよい。このような入力画面は、乗車券購入アプリ３１へのログインが完了した後に表示されてよい。上述した領域に各種情報が入力されて、図中「ＹＥＳ」ボタンが操作されると、乗車券の発行要求が確定する。この場合、乗車券購入処理部１４は、端末側通信部１３を用いて、入力された情報を第１画像要求情報（第１画像リクエスト）としてセンターサーバ装置４００に送信する。ここで、第１画像とは、上述した「第１の読取画像ＣＤ１」である。
【００３６】
図４は、乗車券の表示画面が表示された様子を示す図である。乗車券購入処理部１４は、端末側通信部１３がセンターサーバ装置４００から受信した第１画像要求情報に対するレスポンス情報（第１の読取画像ＣＤ１に関する情報）に基づいて、図４の乗車券表示画面を生成する。第１の表示制御部１５は、乗車券購入処理部１４の指示により、乗車券表示画面を表示部１２に表示させる。乗車券表示画面には、乗車区間を表示するための領域Ａ４、乗車券の効力が有効開始となる乗車日を表示するための領域Ａ５、第１の読取画像ＣＤ１を表示するための領域Ａ６、物販購入画面またはメニュー画面等のように、他の画面に切り替えるためのボタンＢ２等が設けられてよい。例えば、第１の表示制御部１５は、操作部１１により「物販購入画面」ボタンが選択されたことを受け付けると、表示部１２に表示される画面を、後述する物販購入画面に切り替える。また、第１の表示制御部１５は、操作部１１により「メニュー画面」ボタンが選択されたことを受け付けると、表示部１２に表示される画面を予め設定された画面（例えば、ホーム画面）に切り替える。
【００３７】
図５は、物販決済アプリ３２が起動された際に、端末装置１０の表示部１２に物販決済用コードを取得するためのコード取得画面が表示された様子を示す図である。このコード取得画面は、予めユーザ登録をしておき、例えばユーザＩＤやパスワードを入力してログインした後に、所定の操作をすることで表示される。例えば、物販決済アプリ３２がタッチ操作される等して起動すると、第２の表示制御部１７は、物販決済処理部１６からの指示により物販決済用のコードを取得するためのコード取得画面を端末装置１０に表示させる。
【００３８】
コード取得画面は、日本語や英語、フランス語、中国語等といった端末装置１０の設定言語を設定するための領域Ａ７、決済方法を指定するための領域Ａ８、物販決済用コードを用いて物販の決済を行える有効期限を指定するための領域Ａ９、物販決済用コードの発行要求を確定するためのボタンＢ３等が設けられてよい。端末装置１０の設定言語は、物販決済アプリ３２内での設定言語であってもよいし、端末装置１０のＯＳ（Operating System）の設定言語であってもよい。また、領域Ａ９に入力される情報としては、日時（例えば、２０１６／７／２  ０９：０５：００）でもよく、物販決済用コードを発行または画面表示してからの期間（例えば、発行後１時間または画面表示後１０分間）でもよい。また、コード取得画面には、物販決済用コードにより一度に決済できる限度額を入力する領域や、物販決済用コードにより決済できる限度回数等を入力する領域を含んでいてもよい。上述したように、有効期限や限度額、決済回数等を設定することで、出費を抑制できるとともに、物販決済用コードが他人に盗まれた場合にも被害を抑制することができる。
【００３９】
上述した領域に各種情報が入力されて、図中「ＹＥＳ」ボタンが操作されると、物販決済用コードの発行要求が確定する。この場合、物販決済処理部１６は、端末側通信部１３を用いて、入力された情報を第２画像要求情報（第２画像リクエスト）として決済サーバ装置５００に送信する。ここで、第２画像は、上述した「第２の読取画像ＣＤ２」である。
【００４０】
図６は、物販決済コードの表示画面が表示された様子を示す図である。物販決済処理部１６は、端末側通信部１３が決済サーバ装置５００から受信した第２画像要求情報に対するレスポンス情報（第２の読取画像ＣＤ２に関する情報）に基づいて、図６の物販決済用コード表示画面を生成する。第２の表示制御部１７は、物販決済処理部１６の指示により、物販決済用コード表示画面を表示部１２に表示させる。物販決済用コード表示画面には、物販決済用コードの有効期限を表示するための領域Ａ１０、第２の読取画像ＣＤ２を表示するための領域Ａ１１、他の画面に切り替えるためのボタンＢ４等が設けられてよい。例えば、第２の表示制御部１７は、操作部１１により「乗車券表示ボタン」が選択されたことを受け付けると、表示部１２に表示される画面を、上述した乗車券表示画面に切り替える。
【００４１】
また、第２の表示制御部１７は、操作部１１により「メニュー画面」ボタンが選択されたことを受け付けると、表示部１２に表示される画面を予め設定された画面（例えば、ホーム画面）に切り替える。
【００４２】
なお、上述した乗車券表示画面と、物販決済用コード表示画面との切り替えは、上述したように予め設定されたボタンを選択するだけでなく、例えば端末装置１０のタッチパネルに対するスワイプ操作やフリック操作を受け付けることで、各画面の切り替えを行ってもよい。例えば、第２の表示制御部１７は、乗車券表示画面が表示されている状態で、タッチパネルから右方向へのスワイプ操作を受け付けた場合に、乗車券表示画面から物販決済用コード表示画面への切り替え表示を行う。また、第２の表示制御部１７は、物販決済用コード表示画面が表示されている状態で、タッチパネルから左方向へのスワイプ操作を受け付けた場合に、物販決済用コード表示画面から乗車券表示画面への切り替え表示を行う。
【００４３】
［自動改札機］
次に、自動改札機１００について説明する。図７は、実施形態における自動改札機１００を上方から見た図である。自動改札機１００は、例えば、通路を挟んで対向配置される主機１１０と従機１３０とを備えてよい。主機１１０は、例えば、第１画像読取部１１１と、上面表示部１１２と、正面表示部１１３と、扉部１１４および１１５と、改札機側制御部１５０とを備える。また、従機１３０は、読取部１３１と、上面表示部１３２と、正面表示部１３３と、扉部１３４および１３５とを備える。
【００４４】
主機１１０の第１画像読取部１１１は、図７に示すａ方向に通過しようとする利用者によって翳された端末装置１０により表示された第１の読取画像ＣＤ１を撮像し、画像データを改札機側制御部１５０に送信する。
【００４５】
上面表示部１１２は、第１画像読取部１１１に対して端末装置１０が翳された場合に、改札機側制御部１５０によって処理された結果、またはセンターサーバ装置４００から受信した情報に基づく画像を表示する。正面表示部１１３は、図７に示すａ方向に通過可能であるか否かを示すマークや図形、文字等を表示する。正面表示部１１３の表示内容または表示の有無は、改札機側制御部１５０によって決定される。
【００４６】
一方、従機１３０の読取部１３１は、図７に示すｂ方向に通過しようとする利用者によって翳された端末装置１０に表示された第１の読取画像ＣＤ１を撮像し、画像データを改札機側制御部１５０に送信する。上面表示部１３２は、読取部１３１に対して端末装置１０が翳された場合に、改札機側制御部１５０によって処理された結果、またはセンターサーバ装置４００から受信した情報に基づく画像を表示する。正面表示部１３３は、図７に示すｂ方向に通過可能であるか否かを示すマークや図形、文字等を表示する。正面表示部１３３の表示内容または表示の有無は、改札機側制御部１５０によって決定される。
【００４７】
改札機側制御部１５０は、図７に示すａ方向への利用者の通過を許可する動作モードに自動改札機１００が設定されている場合、扉部１１５および１３５を開放状態に維持するとともに、扉部１１４および１３４を開放状態または閉止状態に制御することで、ａ方向の利用者の通過を許可または禁止する。また、改札機側制御部１５０は、図７に示すｂ方向への利用者の通過を許可する動作モードに自動改札機１００が設定されている場合、扉部１１４および１３４を開放状態に維持するとともに、扉部１１５および１３５を開放状態または閉止状態に制御することで、ｂ方向の利用者の通過を許可または禁止する。
【００４８】
また、自動改札機１００の動作モードには、図７に示すａ方向の通過とｂ方向の通過との双方を許可する動作モードが含まれていてもよい。この場合、改札機側制御部１５０は、例えば、利用者が通過中でなければ正面表示部１１３と正面表示部１３３の双方に通過を許可することを示すマークや図形、文字等を表示させる制御を行う。また、改札機側制御部１５０は、例えば、利用者がａ方向およびｂ方向のいずれかの側から進入し、第１画像読取部１１１と読取部１３１とのいずれか一方に端末装置１０が翳されると、他方の読取部を無効化するとともに、利用者が進入してきていない側の表示部（正面表示部１１３または正面表示部１３３）に、通過を禁止することを示すマークや図形、文字等を表示させる制御を行う。
【００４９】
なお、自動改札機１００は、上述したように利用者が双方向に通過可能なものに限らず、主機と補機（従機）により構成される、利用者が一方向にのみ通過可能なものであってもよい。
【００５０】
図８は、自動改札機１００の第１画像読取部１１１を上方から見た図である。第１画像読取部１１１は、例えば、タッチ面表示部ＰＮ１およびカメラＣＡＭ１を備える。タッチ面表示部ＰＮ１は、例えば、ＬＣＤや有機ＥＬディスプレイであり、上方から見てカメラＣＡＭ１の周囲に配置される。カメラＣＡＭ１は、利用者によって自機前に翳された物体を撮像する。例えば、表示画面に第１の読取画像ＣＤ１が表示された端末装置１０が利用者によって翳されると、カメラＣＡＭ１は、端末装置１０の表示画面を撮像する。カメラＣＡＭ１は、例えば、ＣＣＤ（Charge-Coupled Device）やＣＭＯＳ（Complementary Metal Oxide Semiconductor）等のイメージセンサを有する。なお、図８に示す第１画像読取部１１１の構成は、従機１３０の読取部１３１にも同様に適用してもよい。すなわち、従機１３０の読取部１３１は、タッチ面表示部ＰＮ１およびカメラＣＡＭ１を含む構成であってもよい。
【００５１】
自動改札機１００は、上述した図７に示す構成の他、外部装置と通信を行う改札機側通信部と、改札機側制御部１５０の指示に従って音声を出力するスピーカと、種々の情報を格納する改札機側記憶部とを、さらに備えてよい。改札機側記憶部は、プロセッサが実行するプログラムを格納する他、自機が設置された駅の識別情報や、各種表示部に表示させる画像データやテキストデータ、スピーカに出力させる音声データ、運賃テーブル等を格納する。画像データ、テキストデータ、および音声データは、乗車券購入アプリ３１において設定され得る端末装置１０の設定言語の数に対応した数だけ用意されてよい。運賃テーブルは、例えば、駅の区間ごとに運賃が対応付けられた情報である。
【００５２】
改札機側制御部１５０は、第１画像読取部１１１（１３１）に読取画像が翳された時刻、自機が設置された駅の識別情報等を、駅務サーバ装置２００を介してセンターサーバ装置４００に送信する。また、改札機側制御部１５０は、センターサーバ装置４００により駅務サーバ装置２００を介して送信された情報を受信してもよい。自機が設置された駅の識別情報（駅ＩＤ）は、予め改札機側記憶部に格納されてよい。
【００５３】
また、改札機側制御部１５０は、第１画像読取部１１１（１３１）のカメラＣＡＭ１により撮像された画像における読取画像の部分を解析して配列情報を取得し、配列情報をデコードして、ビット列等で表されるコンピュータが認識可能な電子情報に変換する。電子情報は、前述した第１の効力情報を含む。また、改札機側制御部１５０は、電子情報に基づいて、利用者の通過可否を判定し、判定結果に基づいて、利用者の通過を許可、あるいは禁止する制御を行う。
【００５４】
また、改札機側制御部１５０は、読取画像が抽出されない場合、または抽出された読取画像がデコードされない、あるいはデコードされた結果が無効な場合、利用者の通過を禁止する制御を行う。改札機側制御部１５０は、通過の許可または禁止の判定に応じて、扉部１１４、１１５、１３４、１３５、スピーカ、上面表示部１１２、１３２、正面表示部１１３、１３３、タッチ面表示部ＰＮ１、またはこれらを組み合わせたものを制御する。
【００５５】
なお、改札機側制御部１５０は、上述した電子情報に端末装置１０（乗車券購入アプリ３１）における設定言語の情報が含まれている場合、この設定言語に合わせて各種表示部に表示させる画像データ（またはテキストデータ）やスピーカに出力させる音声データを選択してよい。
【００５６】
［決済機器］
次に、決済機器３００について説明する。図９は、実施形態における決済機器３００の概略構成の一例を示す図である。図９では、決済機器３００の一例として、駅構内の売店に設置され、物販に対する費用の支払い時に利用されるＰＯＳ端末を示しているが、これに限定されるものではなく、例えば飲料等を販売する自動販売機であってもよい。
【００５７】
図９に示す決済機器３００は、第２画像読取部３１０と、表示部３１２と、操作部３１４と、貨幣収納部３１６とを備える。第２画像読取部３１０は、物販の決済を行う端末装置１０に表示された第２の読取画像ＣＤ２を読み取る。
【００５８】
表示部３１２は、第２画像読取部３１０に対して端末装置１０が翳された場合に、決済機器３００によって処理された結果、または決済サーバ装置５００から受信した情報に基づく画像を表示する。また、表示部３１２は、購入した商品に対する金額、決済結果に関する情報を表示する。決済結果に関する情報とは、決済が正常に完了したことを示す情報や、決済が完了しなかった理由を示す情報である。決済が完了しなかった理由としては、例えば読み取った第２の読取画像ＣＤ２の有効期限が切れていたり、第１の読取画像ＣＤ１を読み取った場合がある。
【００５９】
操作部３１４は、決済機器３００の利用者（例えば、店員）による、端末装置１０の利用者が購入する少なくとも１つの商品に関する情報や金額等の入力を受け付ける。なお、操作部３１４は、タッチパネルとして、上述した表示部３１２と一体に形成されてもよい。
【００６０】
貨幣収納部３１６は、貨幣を格納する。貨幣は、商品を購入する購入者により支払われる硬貨や紙幣であってもよく、また釣銭用に予め準備された硬貨や紙幣であってもよい。貨幣収納部３１６は、操作部３１４に対する操作に応じて貨幣の収納や排出を行う。
【００６１】
図１０は、決済機器３００の第２画像読取部３１０を上方から見た図である。第２画像読取部３１０は、例えば、タッチ面表示部ＰＮ２およびカメラＣＡＭ２を備える。タッチ面表示部ＰＮ２は、例えば、ＬＣＤや有機ＥＬディスプレイであり、上方から見てカメラＣＡＭ２の周囲に配置される。カメラＣＡＭ２は、利用者によって自機前に翳された物体を撮像する。例えば、表示画面に第２の読取画像ＣＤ２が表示された端末装置１０が利用者によって翳されると、カメラＣＡＭ２は、端末装置１０の表示画面を撮像する。カメラＣＡＭ２は、例えばＣＣＤやＣＭＯＳ等のイメージセンサを有する。
【００６２】
図１１は、実施形態における決済機器３００の機能構成の一例を示す図である。決済機器３００は、第２画像読取部３１０と、表示部３１２と、操作部３１４と、貨幣収納部３１６と、スピーカ３１８と、決済機器側通信部３２０と、決済機器側制御部３３０と、決済機器側記憶部３４０とを備える。決済機器側制御部３３０は、通信制御部３３２と、画像処理部３３４と、決済可否判定部３３６と、精算部３３８とを備える。上述した第２画像読取部３１０と、画像処理部３３４とを合わせたものは、「光学読取部」の一例である。
【００６３】
決済機器側制御部３３０の構成要素の一部または全部は、ＣＰＵ等のプロセッサが決済機器側記憶部３４０に記憶されたプログラムを実行することにより実現されてよい。また、決済機器側記憶部３４０の構成要素の一部または全部は、ＬＳＩ、ＡＳＩＣ、ＦＰＧＡ等のハードウェアによって実現され、それぞれの機能を実現するための回路構成を有してもよい。また、決済機器側制御部３３０の構成要素の一部または全部は、ソフトウェアとハードウェアの協働によって実現されてもよい。
【００６４】
決済機器側記憶部３４０は、例えば、ＲＯＭ、フラッシュメモリ、ＨＤＤ、ＳＤカード等の不揮発性の記憶媒体と、ＲＡＭ、レジスタ等の揮発性の記憶媒体とによって実現されてよい。決済機器側記憶部３４０は、プロセッサが実行するプログラムを格納する他、自機が設置された駅の識別情報や売店情報、各種表示部に表示させる画像データやテキストデータ、スピーカ３１８に出力させる音声データ、画像データ、テキストデータ、および音声データは、物販決済アプリ３２において設定され得る端末装置１０の設定言語の数に対応した数だけ用意されてよい。
【００６５】
通信制御部３３２は、決済機器側通信部３２０を用いて、画像処理部３３４による処理結果、第２画像読取部３１０に第２の読取画像ＣＤ２が翳された時刻、自機が設置された駅の識別情報、決済機器３００の識別情報等を、決済サーバ装置５００に送信する。また、通信制御部３３２は、決済機器側通信部３２０を用いて、決済サーバ装置５００により送信された情報を受信してもよい。自機が設置された駅の識別情報（駅ＩＤ）や決済機器３００の識別情報等は、予め決済機器側記憶部３４０に格納されてよい。
【００６６】
画像処理部３３４は、例えば、第２画像読取部３１０のカメラＣＡＭ２により撮像された画像における第２の読取画像ＣＤ２の部分を解析して配列情報を取得し、配列情報をデコードして、ビット列等で表されるコンピュータが認識可能な電子情報に変換する。電子情報には、前述した第２の効力情報が含まれる。なお、画像処理部３３４は、カメラＣＡＭ２により撮像された画像から第２の読取画像ＣＤ２が読み取れなかった場合には、その旨を示す情報を、表示部３１２に表示したり、スピーカ３１８により音声出力する。
【００６７】
決済可否判定部３３６は、画像処理部３３４により取得された情報に基づいて、利用者の物販決済の可否を判定する。決済可否判定部３３６は、画像処理部３３４により取得された情報により決済ができないと判定した場合には、その旨を示す情報を表示部３１２に出力したり、スピーカ３１８により音声出力する。また、決済可否判定部３３６は、画像処理部３３４により取得された情報と、決済可否判定要求とを、決済サーバ装置５００に送信し、決済サーバ装置５００から受信した決済可否判定結果を表示部３１２に表示したり、スピーカ３１８により音声出力してもよい。また、決済可否判定部３３６は、上述した決済可否判定要求とともに、決済情報を決済サーバ装置５００に送信してもよい。決済情報とは、例えば駅情報、売店の識別情報、購入日時、購入内容、購入金額等である。
【００６８】
精算部３３８は、決済可否判定部３３６により、物販決済が可能である場合、決済を完了させる。精算部３３８は、決済の完了に合わせてレシートや領収書等の発行等を行ってもよい。また、精算部３３８は、精算結果や決算方式に基づき、貨幣収納部３１６による貨幣の格納や排出を制御してもよい。
【００６９】
［センターサーバ装置］
次に、センターサーバ装置４００について説明する。図１２は、実施形態におけるセンターサーバ装置４００の機能構成の一例を示す図である。センターサーバ装置４００は、例えば、センターサーバ側通信部４１０と、センターサーバ側制御部４２０と、センターサーバ側記憶部４３０とを備える。
【００７０】
センターサーバ側制御部４２０は、アプリ連携処理部（要求受付部）４２２と、乗車券決済処理部４２４とを備える。センターサーバ側制御部４２０のこれらの構成要素のうち一部または全部は、ＣＰＵ等のプロセッサがセンターサーバ側記憶部４３０に記憶されたプログラムを実行することにより実現される。プログラムは、例えば、ネットワークＮＷを介してアプリケーションサーバからダウンロードされてもよいし、ＳＤカード等の可搬型記憶媒体に格納されたものがセンターサーバ装置４００にインストールされてもよい。また、センターサーバ側制御部４２０の構成要素のうち一部または全部は、ＬＳＩ、ＡＳＩＣ、ＦＰＧＡ等のハードウェアによって実現されてもよいし、ソフトウェアとハードウェアの協働によって実現されてもよい。
【００７１】
センターサーバ側記憶部４３０は、例えば、ＲＯＭ、フラッシュメモリ、ＨＤＤ、ＳＤカード等の不揮発性の記憶媒体と、ＲＡＭ、レジスタ等の揮発性の記憶媒体とによって実現される。センターサーバ側記憶部４３０は、プロセッサが実行するプログラムを格納する他、後述する乗車券決済用情報データベース４３２、第１の効力情報データベース４３４、入場情報データベース４３６、および出場情報データベース４３８を格納する。
【００７２】
乗車券決済用情報データベース４３２は、乗車券購入アプリ３１の利用者の識別情報であるユーザＩＤに対し、乗車券購入に係る費用の決済方式等の情報が対応付けられた情報である。また、第１の効力情報データベース４３４は、ユーザＩＤに対し、有効期間、入場駅の識別情報（入場駅ＩＤ）、コードＩＤといった第１の効力情報が対応付けられた情報である。また、入場情報データベース４３６は、コードＩＤに対し、入場時刻、入場駅の識別情報（入場駅ＩＤ）、入出場コードといった情報が対応付けられた情報である。また、出場情報データベース４３８は、コードＩＤに対し、出場時刻、出場駅の識別情報（出場駅ＩＤ）、入出場コードといった情報が対応付けられた情報である。
【００７３】
センターサーバ側通信部４１０は、上述したネットワークＮＷを介して、端末装置１０や自動改札機１００と通信を行う。
【００７４】
アプリ連携処理部４２２は、センターサーバ側通信部４１０を用いて、乗車券購入アプリ３１が起動された端末装置１０と通信を行い、端末装置１０の画面に表示させる画像を制御する。例えば、アプリ連携処理部４２２は、センターサーバ側通信部４１０により受信した第１画像要求情報を受け付けると、端末装置１０の画面に第１の読取画像ＣＤ１を表示させるために画像生成情報を生成し、これを第１画像要求情報に対するレスポンスとして端末装置１０に送信する。画像生成情報は、例えば、第１の読取画像ＣＤ１の画像データそのもの、或いは圧縮された画像データであってもよいし、第１の読取画像ＣＤ１の元となる効力情報等が文字や数値等に変換されたテキストデータまたはバイナリデータであってもよい。また、画像生成情報は、第１の読取画像ＣＤ１を表示するウェブサイトのＵＲＬ（Uniform Resource Locator）であってもよい。端末装置１０は、画像生成情報をセンターサーバ装置４００から受信すると、画像生成情報に基づいて第１の読取画像ＣＤ１を表示する。なお、画像生成情報がテキストデータまたはバイナリデータである場合、端末装置１０は、それらのデータに基づく第１の効力情報を第１の読取画像ＣＤ１にエンコードし、当該第１の読取画像ＣＤ１を表示部１２に描画（レンダリング）する。
【００７５】
乗車券決済処理部４２４は、入場用の自動改札機１００および出場用の自動改札機１００の双方において通過が許可された利用者に対して、入場駅から出場駅までの利用区間の運賃（課金額の一例）を算出する。例えば、乗車券決済処理部４２４は、入場情報に含まれる入場駅の識別情報と、出場情報に含まれる出場駅の識別情報とに基づいて、利用区間の運賃を算出してよい。そして、乗車券決済処理部４２４は、第１の効力情報データベース４３４を参照して、入場情報または出場情報に含まれるコードＩＤに対応付けられた利用者（ユーザＩＤ）を特定し、当該利用者に対して運賃を請求することを決定する。
【００７６】
例えば、乗車券決済処理部４２４は、乗車券決済用情報データベース４３２を参照して、ユーザＩＤごとに設定された決済方式を用いて、予め定められた口座から運賃を引き落とし決済する。なお、実際の決済処理は、クレジット会社や通信キャリア会社等の外部装置に依頼して行ってもよい。また、乗車券決済処理部４２４による決済処理は、利用者が自動改札機１００を通過する度に行われてもよいし、所定期間後に一括して行われてもよい。また、乗車券決済処理部４２４による決済処理は、必ずしも利用者が自動改札機１００を通過するタイミングで行われる必要はなく、通過後のいずれかのタイミングで行われてよい。また、乗車券決済処理部４２４は、乗車券購入アプリ３１において乗車券が購入された時点、すなわち端末装置１０から画像要求情報を受信した時点で運賃の決済を行ってもよい。
【００７７】
［決済サーバ装置］
次に、決済サーバ装置５００について説明する。図１３は、実施形態における決済サーバ装置５００の機能構成の一例を示す図である。決済サーバ装置５００は、例えば、決済サーバ側通信部５１０と、決済サーバ側制御部５２０と、決済サーバ側記憶部５３０とを備える。
【００７８】
決済サーバ側制御部５２０は、アプリ連携処理部（要求受付部）５２２と、物販決済処理部５２４とを備える。決済サーバ側制御部５２０のこれらの構成要素のうち一部または全部は、ＣＰＵ等のプロセッサが決済サーバ側記憶部５３０に記憶されたプログラムを実行することにより実現される。プログラムは、例えば、ネットワークＮＷを介してアプリケーションサーバからダウンロードされてもよいし、ＳＤカード等の可搬型記憶媒体に格納されたものが決済サーバ装置５００にインストールされてもよい。また、決済サーバ側制御部５２０の構成要素のうち一部または全部は、ＬＳＩ、ＡＳＩＣ、ＦＰＧＡ等のハードウェアによって実現されてもよいし、ソフトウェアとハードウェアの協働によって実現されてもよい。
【００７９】
決済サーバ側記憶部５３０は、例えば、ＲＯＭ、フラッシュメモリ、ＨＤＤ、ＳＤカード等の不揮発性の記憶媒体と、ＲＡＭ、レジスタ等の揮発性の記憶媒体とによって実現される。決済サーバ側記憶部５３０は、プロセッサが実行するプログラムを格納する他、後述する物販決済用情報データベース５３２、第２の効力情報データベース５３４、および購入履歴データベース５３６を格納する。
【００８０】
図１４は、物販決済用情報データベース５３２の一例を示す図である。図示のように、物販決済用情報データベース５３２は、物販決済アプリ３２の利用者の識別情報であるユーザＩＤに対し、物販決済に係る費用の決済方式等の情報が対応付けられた情報である。ユーザＩＤは、例えば、物販決済アプリ３２のログインＩＤであってよい。物販決済用情報データベース５３２は、例えば、物販決済アプリ３２が起動された端末装置１０により送信された情報を参照することによって随時、レコード（一つのユーザＩＤに対応するデータ）が追加されてよい。なお、端末装置１０の利用者が指定する決済方式や口座番号等を、駅窓口の駅務員や決済代行サービス業者のオペレータ等が専用端末に入力する場合、決済サーバ装置５００は、当該専用端末により出力された情報を参照することで物販決済用情報データベース５３２を生成してもよい。また、物販決済用情報データベース５３２には、ユーザＩＤに対して、電子マネーのチャージ額やクレジットカードの限度額等が対応付けられてもよい。
【００８１】
図１５は、第２の効力情報データベース５３４の一例を示す図である。図示のように、第２の効力情報データベース５３４は、ユーザＩＤに対し、有効期限、コードＩＤといった第２の効力情報が対応付けられた情報である。第２の効力情報データベース５３４には、例えば、物販決済アプリ３２が起動された端末装置１０により送信された情報が随時、レコードとして追加されてよい。
【００８２】
図１６は、購入履歴データベース５３６の一例を示す図である。図示のように、購入履歴データベース５３６は、ユーザＩＤに対し、商品等を購入した売店情報、購入日時、購入内容（例えば、商品ジャンル、商品名、数等）、購入金額といった購入履歴情報が対応付けられた情報である。購入履歴データベース５３６は、購入する商品ごと、または決済ごとに、購入履歴情報がレコードとして追加される。
【００８３】
決済サーバ側通信部５１０は、上述したネットワークＮＷを介して、端末装置１０や決済機器３００と通信を行う。
【００８４】
アプリ連携処理部５２２は、決済サーバ側通信部５１０を用いて、物販決済アプリ３２が起動された端末装置１０と通信を行い、端末装置１０の画面に表示させる画像を制御する。例えば、アプリ連携処理部５２２は、決済サーバ側通信部５１０により第２画像要求情報が受信されると、端末装置１０の画面に第２の読取画像ＣＤ２を表示させるために画像生成情報を生成し、これを第２画像要求情報に対するレスポンスとして端末装置１０に送信する。画像生成情報は、例えば、第２の読取画像ＣＤ２の画像データそのもの、或いは圧縮された画像データであってもよいし、第２の読取画像ＣＤ２の元となる第２の効力情報等が文字や数値等に変換されたテキストデータまたはバイナリデータであってもよい。また、画像生成情報は、第２の読取画像ＣＤ２を表示するウェブサイトのＵＲＬであってもよい。端末装置１０は、画像生成情報を決済サーバ装置５００から受信すると、画像生成情報に基づいて第２の読取画像ＣＤ２を表示するか、または端末側記憶部３０に記憶する。なお、画像生成情報がテキストデータまたはバイナリデータである場合、端末装置１０は、それらのデータに基づく第２の効力情報を第２の読取画像ＣＤ２にエンコードし、当該第２の読取画像ＣＤ２を表示部１２に描画（レンダリング）する。
【００８５】
物販決済処理部５２４は、売店のＰＯＳ端末や自動販売機等の決済機器３００により物販決済用コードである第２の読取画像ＣＤ２が読み込まれた利用者に対して、物販決済が可能か否かを判定する。
【００８６】
物販決済処理部５２４は、例えば、決済機器３００から取得した第２の効力情報に含まれるコードＩＤに基づいて、第２の効力情報データベース５３４を参照して、コードＩＤに対応付けられた利用者（ユーザＩＤ）を特定し、そのコードＩＤが有効期限切れでない場合に、物販決済を許可する。この場合、物販決済処理部５２４は、物販決済用情報データベース５３２を参照して、ユーザＩＤごとに設定された決済方式を用いて、予め定められた口座から購入金額を引き落とし決済する。また、物販決済処理部５２４による決済処理は、決済機器３００により第２の読取画像ＣＤ２が送信される度に行われてもよいし、所定期間後に一括して行われてもよい。
【００８７】
なお、物販決済用情報データベース５３２のユーザＩＤに対して、電子マネーのチャージ額やクレジットカードの限度額等が対応付けられている場合、物販決済処理部５２４は、それらの情報に基づいて、物販の決済の可否を判定してもよい。例えば、物販決済処理部５２４は、取得したユーザＩＤに基づいて物販決済用情報データベース５３２を参照し、ユーザＩＤに対応付けられた決済方式に基づいて、電子マネーのチャージ額またはクレジットカードの限度額を取得する。そして、物販決済処理部５２４は、電子マネーが最低料金未満の場合、または決済機器３００から送信された決済情報に含まれる金額を課金したときにクレジットカードの限度額を超える場合には決済を不許可とし、その旨を決済サーバ側通信部５１０により決済機器３００に送信させる。また、物販決済処理部５２４は、物販決済を許可した場合には、決済情報に含まれる情報を購入履歴データベース５３６に格納する。
【００８８】
また、物販決済処理部５２４は、例えば、第２の読取画像ＣＤ２の使用が適切な範囲内での使用であるかを物販決済の可否判定に用いてもよい。例えば、物販決済処理部５２４は、予め各決済機器３００の識別情報と位置情報とを管理しておき、決済機器３００から受信した第２の効力情報に含まれる決済機器３００の識別情報や使用日時等の情報から、同時または短時間の間に、近い位置で複数回使用された場合には、それらの決済を許可し、異なる地域で複数回使用された場合には、それらの決済を不許可として判定してもよい。
【００８９】
［処理の内容］
以下、鉄道利用管理システム１の一連の処理について説明する。図１７は、実施形態における鉄道利用管理システム１の処理の一例を示すシーケンス図である。なお、本シーケンスでは、自動改札機１００とセンターサーバ装置４００との通信を仲介する駅務サーバ装置２００については説明を省略している。
【００９０】
まず、端末装置１０は、乗車券購入アプリ３１が起動されると入力画面を表示する（ステップＳ１００）。次に、端末装置１０は、入力画面に入力された情報を含む第１画像要求情報をセンターサーバ装置４００に送信する（ステップＳ１０２）。
【００９１】
次に、センターサーバ装置４００は、端末装置１０から受信した第１画像要求情報から第１の効力情報を抽出し、当該第１の効力情報をレコードとして第１の効力情報データベース４３４に記憶させるとともに、第１の効力情報を含む画像生成情報を生成する（ステップＳ１０４）。次に、センターサーバ装置４００は、生成した画像生成情報を、第１画像要求情報に対するレスポンスとして端末装置１０に送信する（ステップＳ１０６）。
【００９２】
次に、端末装置１０は、センターサーバ装置４００から受信した画像生成情報に基づいて、第１の読取画像ＣＤ１の画像を画面に表示する（ステップＳ１０８）。これによって、利用者は、第１の読取画像ＣＤ１を表示した端末装置１０を自動改札機１００に翳すことで駅構内に入場することができる。以下、駅構内に入場する際に用いられる第１の読取画像ＣＤ１を「入場用読取画像」と称して説明する。実施形態において、入場用読取画像は、上述した「第１画像」の一例である。
【００９３】
自動改札機１００は、入場用読取画像を表示した端末装置１０が翳された場合、端末装置１０から入場用読取画像を読み取り、読み取った入場用読取画像から第１の効力情報を取得する（ステップＳ１１０）。次に、自動改札機１００は、取得した第１の効力情報と、現在の時刻情報と、自機が設置された駅の識別情報（すなわち入場駅の識別情報）と、運賃テーブルとに基づいて、入場する利用者の通過可否を判定する（ステップＳ１１２）。以下では、通過が許可されたものとする。
【００９４】
次に、自動改札機１００は、通過を許可すると、取得した第１の効力情報とともに、入場用読取画像が翳された時刻（入場時刻）や自機が設置された駅の識別情報等を含む入場情報をセンターサーバ装置４００に送信する（ステップＳ１１４）。
【００９５】
次に、センターサーバ装置４００は、自動改札機１００から受信した第１の効力情報および入場情報をそれぞれ第１の効力情報データベース４３４と入場情報データベース４３６とに記憶させる（ステップＳ１１６）。
【００９６】
次に、センターサーバ装置４００は、第１の効力情報および入場情報を含む画像生成情報を生成し、当該画像生成情報を端末装置１０に送信する（ステップＳ１１８）。
【００９７】
端末装置１０は、センターサーバ装置４００から第１の効力情報および入場情報を含む画像生成情報を受信すると、当該画像生成情報に基づいて、第１の読取画像ＣＤ１の画像を生成して画面に表示する（ステップＳ１２０）。これによって、利用者は、効力情報および入場情報を基に生成された第１の読取画像ＣＤ１が表示された端末装置１０を自動改札機１００に翳すことで駅構外に出場することができる。以下、駅構外に出場する際に用いられる第１の読取画像ＣＤ１を「出場用読取画像」と称して説明する。実施形態において、出場用読取画像は、「第１画像」の一例であるが、上述した「入場用読取画像」とは異なる画像である。
【００９８】
自動改札機１００は、出場用読取画像が表示された端末装置１０が翳された場合、端末装置１０から出場用読取画像を読み取り、出場用読取画像から第１の効力情報と入場情報とを取得する（ステップＳ１２２）。次に、自動改札機１００は、例えば、取得した効力情報および入場情報と、現在の時刻情報と、自機が設置された駅の識別情報（すなわち出場駅の識別情報）と、運賃テーブルとに基づいて、出場する利用者の通過可否を判定する（ステップＳ１２４）。以下では、通過が許可されたものとする。
【００９９】
次に、自動改札機１００は、通過を許可すると、取得した第１の効力情報および入場情報とともに、出場用読取画像が翳された時刻（出場時刻）や自機が設置された駅の識別情報（すなわち出場駅の識別情報）等を含む出場情報をセンターサーバ装置４００に送信する（ステップＳ１２６）。
【０１００】
次に、センターサーバ装置４００は、自動改札機１００から受信した第１の効力情報、入場情報、および出場情報を、それぞれ第１の効力情報データベース４３４、入場情報データベース４３６、および出場情報データベース４３８に記憶させる（ステップＳ１２８）。
【０１０１】
また、センターサーバ装置４００の乗車券決済処理部４２４は、入場情報に含まれる入場駅の識別情報と、出場情報に含まれる出場駅の識別情報とに基づいて、利用区間に係る運賃を算出し、第１の効力情報データベース４３４を参照して、入場情報または出場情報に含まれるコードＩＤに対応付けられた利用者（ユーザＩＤ）に運賃を請求することを決定する（ステップＳ１３０）。
【０１０２】
次に、センターサーバ装置４００は、出場情報と、算出した運賃に関する情報を端末装置１０に送信する（ステップＳ１３２）。これを受けて、端末装置１０は、画面に乗車が完了したことを示す画像や文字等を表示するとともに、乗車に要した運賃を表示する（ステップＳ１３４）。これによって、鉄道利用管理システム１において一人のユーザが入場してから出場するまでの一連の処理が終了する。
【０１０３】
図１８は、実施形態における物販決済処理の一例を示すシーケンス図である。まず、端末装置１０は、物販決済アプリ３２が起動されると物販決済用コードの取得画面を表示する（ステップＳ２００）。次に、端末装置１０は、取得画面に入力された情報を含む第２画像要求情報を決済サーバ装置５００に送信する（ステップＳ２０２）。
【０１０４】
次に、決済サーバ装置５００は、端末装置１０から受信した第２画像要求情報から第２の効力情報を抽出し、当該第２の効力情報をレコードとして第２の効力情報データベース５３４に記憶させるとともに、第２の効力情報を含む画像生成情報を生成する（ステップＳ２０４）。次に、決済サーバ装置５００は、生成した画像生成情報を、第２画像要求情報に対するレスポンスとして端末装置１０に送信する（ステップＳ２０６）。
【０１０５】
次に、端末装置１０は、決済サーバ装置５００から受信した画像生成情報に基づいて、第２の読取画像ＣＤ２の画像を画面に表示する（ステップＳ２０８）。これによって、利用者は、第２の読取画像ＣＤ２を表示した端末装置１０を決済機器３００に翳すことで物販決済を行うことができる。以下、物販決済を行う際に用いられる第２の読取画像ＣＤ２を「物販決済用読取画像」と称して説明する。物販決済用読取画像は、上述した「第２画像」の一例である。実施形態において、物販決済用読取画像は、上述した入場用読取画像と出場用読取画像とは、異なる画像である。
【０１０６】
物販決済処理において、決済機器３００は、物販決済用読取画像を表示した端末装置１０が翳された場合、端末装置１０から物販決済用読取画像を読み取り、読み取った物販決済用読取画像から第２の効力情報を取得する（ステップＳ２１０）。次に、自動改札機１００は、取得した第２の効力情報と、物販決済用読取画像が翳された時刻や自機が設置された駅や売店の識別情報、購入内容等を含む決済情報を決済サーバ装置５００に送信する（ステップＳ２１２）。
【０１０７】
次に、決済サーバ装置５００は、決済機器３００から受信した第２の効力情報および決済情報から決済の可否を判定する（ステップＳ２１４）。例えば、決済サーバ装置５００は、第２の効力情報に含まれるユーザＩＤとコードＩＤとに基づいて物販決済用情報データベース５３２を参照して、有効期限が切れていない場合には、決済が可能であると判定し（許可判定）、有効期限が切れている場合には、決済が不可能であると判定する（不許可判定）。
【０１０８】
決済サーバ装置５００は、決済が可能である場合に、決済機器３００から受信した決済情報を購入履歴データベース５３６に記憶させる（ステップＳ２１６）。次に、決済サーバ装置５００は、決済の可否情報を決済機器３００に送信する（ステップＳ２１８）。
【０１０９】
決済機器３００は、決済サーバ装置５００は、決済の可否情報に基づいて、物販決済処理を完了する（ステップＳ２２０）。例えば、決済機器３００は、決済サーバ装置５００から得られる可否結果が決済可能である場合には、その旨を表示部３１２またはスピーカ３１８等に表示して決済を完了する。また、決済機器３００は、決済サーバ装置５００から得られる結果が決済不可能である場合には、その旨を表示部３１２またはスピーカ３１８等に表示し、店員や端末装置１０の利用者に通知し、貨幣等による精算や、購入の取り消し等の処理を行わせてもよい。
【０１１０】
なお、上述した物販決済処理が、上述した鉄道利用管理システム１の入場処理と、出場処理との間に行われる場合には、端末装置１０における入場用読取画像および出場用読取画像（第１画像）の表示と物販決済用読取画像（第２画像）の表示とを切り替える必要がある。以下に、端末装置１０における表示切替処理の具体例について、フローチャートを用いて説明する。
【０１１１】
図１９は、端末装置１０における表示切替処理の一例を示すフローチャートである。まず、端末装置１０の第１の表示制御部１５は、入場用読取画像または出場用読取画像を表示する（ステップＳ３００）。ここで、第２の表示制御部１７は、入場用読取画像または出場用読取画像が表示部１２に表示されているときに、操作部１１により物販決済用読取画像への切替指示を受け付けたか否かを判定する（ステップＳ３０２）。
【０１１２】
切替指示を受け付けた場合、第２の表示制御部１７は、表示部１２に表示されている入場用読取画像または出場用読取画像を、物販決済用読取画像に切り替えて表示させる（ステップＳ３０４）。
【０１１３】
次に、第２の表示制御部１７は、物販決済用読取画像を表示してから所定時間が経過したか否かを判定する（ステップＳ３０６）。物販決済用読取画像を表示してから所定時間が経過していない場合、第２の表示制御部１７は、入場用読取画像または出場用読取画像への切替指示を受け付けたか否かを判定する（ステップＳ３０８）。入場用読取画像または出場用読取画像への切替指示を受け付けていない場合、第２の表示制御部１７は、ステップＳ３０６の処理に戻る。また、物販決済用読取画像を表示してから所定時間が経過した場合、または入場用読取画像または出場用読取画像への切替指示を受け付けた場合、第２の表示制御部１７は、入場用読取画像または出場用読取画像を表示部１２に表示させる（ステップＳ３１０）。
【０１１４】
なお、第２の表示制御部１７による画面の切り替えについては、上述した例に限定されるものではない。例えば、端末装置１０は、表示部１２に表示された物販決済用読取画像を決済機器３００に翳すと、決済機器３００は、その物販決済用読取画像から得られる情報を決済サーバ装置５００に送信する。決済サーバ装置５００は、決済機器３００から送信された情報を読み取り、読み取った情報に基づいて決済の可否を判定し、決済が許可されたことを示す情報を端末装置１０に送信する。端末装置１０は、決済サーバ装置５００から決済が許可された情報を受け取ることで、表示部１２に表示されている物販決済用読取画像を入場用読取画像または出場用読取画像に切り替えることができる。なお、物販決済用読取画像が１回の決済のみ使用できるように制限されている場合、端末装置１０は、決済サーバ装置５００から決済が許可された情報を受け取った時点で、物販決済用読取画像を削除して、入場用読取画像または出場用読取画像を表示させてもよい。
【０１１５】
また、物販決済用読取画像の利用回数が制限されている場合、決済サーバ装置５００は、物販決済用読取画像の利用回数を決済サーバ装置５００でカウントしておき、利用回数が閾値を超えた場合に、その物販決済用読取画像を削除する指示を、端末装置１０に送信する。端末装置１０は、上述した決済サーバ装置５００からの削除指示に基づいて、物販決済用読取画像を削除してもよい。
【０１１６】
なお、上記実施形態では、鉄道の利用に際して、端末装置１０が予め第１の効力情報が規定された乗車券を購入することで、上述した入場用読取画像を用いた入場と、出場用読取画像を用いた出場とを行うことができるが、これに限定されるものではなく、例えば、鉄道の利用においても電子マネーから引き落とす方式で決済が行われてもよい。
【０１１７】
この場合、端末装置１０は、センターサーバ装置４００に入場用読取画像を要求し、センターサーバ装置４００から入場用読取画像を受信し、受信した入場用読取画像を用いて自動改札機１００から駅構内へ入場する流れになる。また、端末装置１０は、入場後に自動改札機１００からセンターサーバ装置４００に入場情報を送信する。センターサーバ装置４００は、入場方情報に対応する出場用読取画像を端末装置１０に送信する。これにより、端末装置１０は、出場用読取画像に基づいて自動改札機１００から出場することができ、入出場に対する電子マネーでの決済が完了する。このような一連の入出場の流れにおいて、駅構内では、出場用読取画像が表示された状態になるため、上記実施形態と同じ手法を適用することができる。
【０１１８】
上述した実施形態によれば、決済サーバ装置５００は、利用者が保有する端末装置１０に、物販決済を行うための物販決済用読取画像を送信する。端末装置１０は、物販決済用読取画像を表示させ、物販決済の際に決済機器３００に翳すことで、物販決済用読取画像を読み取らせる。決済機器３００は、読み取った物販決済用読取画像から得られる第２の効力情報や決済情報を、決済サーバ装置５００に出力する。決済サーバ装置５００は、決済機器３００から得られた情報に基づいて決済可否の判定を行い、その結果を決済機器３００に送信する。これにより、端末装置１０を用いた決済処理を容易に行うことができ、端末装置１０を電子マネー的に利用できるため、利用者の利便性を向上することができる。
【０１１９】
また、端末装置１０に決済機器３００と通信する機能（カードエミュレーション機能）を持たせる必要が無くなり、装置負担の増大を抑制することができる。
【０１２０】
（実施形態の変形例）
以下、実施形態の変形例について説明する。上述した実施形態では、自動改札機１００が利用者の通過可否の判定を行うものとして説明したが、係る判定をセンターサーバ装置４００が行ってもよい。この場合、自動改札機１００は、第１の読取画像ＣＤ１から読み取った各種情報（入場情報、出場情報として例示したもののうち一部または全部）をセンターサーバ装置４００に送信する。センターサーバ装置４００は、自動改札機１００により送信された情報を受信し、自動改札機１００に端末装置１０を翳した利用者の通過可否を判定し、判定結果を自動改札機１００に送信する。これにより、自動改札機１００は、センターサーバ装置４００により送信された通過可否の判定結果に応じて、利用者の通過を制御する。
【０１２１】
また、上述した実施形態では、端末装置１０において起動された乗車券購入アプリ３１の機能によって第１の読取画像ＣＤ１を表示し、物販決済アプリ３２の機能によって第２の読取画像ＣＤ２を表示するものとして説明したがこれに限られるものではない。これらの読取画像は、端末装置１０のウェブブラウザによって表示されたウェブページ上に表示されてもよい。この場合、センターサーバ装置４００や決済サーバ装置５００等の外部装置は、ウェブサーバとして機能するものであってよい。
【０１２２】
例えば、端末装置１０は、第１の読取画像ＣＤ１または第２の読取画像ＣＤ２が、画像として表示されるウェブページへアクセスするために、ＨＴＴＰ（Hypertext Transfer Protocol）リクエストをセンターサーバ装置４００や決済サーバ装置５００に送信する。そして、端末装置１０は、センターサーバ装置４００や決済サーバ装置５００から返信されたＨＴＴＰレスポンスに基づいてウェブページを表示部１２に表示させる。ＨＴＴＰレスポンスとして送信されるデータには、少なくとも第１の読取画像ＣＤ１または第２の読取画像ＣＤ２の画像データが含まれる。この結果、端末装置１０は、画像データに基づいて第１の読取画像ＣＤ１または第２の読取画像ＣＤ２を表示することになる。なお、第１の読取画像ＣＤ１または第２の読取画像ＣＤ２を含むウェブページは、パスワード入力等によるユーザ認証が得られたことを条件に、端末装置１０に送信されてよい。
【０１２３】
また、上述した実施形態では、駅務サーバ装置２００は、単に自動改札機１００とセンターサーバ装置４００との通信を中継するものとして説明したがこれに限られない。例えば、駅務サーバ装置２００には、センターサーバ装置４００の構成要素の一部または全部が備えられていてもよい。また、センターサーバ装置４００には、決済サーバ装置５００の構成要素の一部または全部が備えられていてもよい。また、駅務サーバ装置２００は、決済機器３００と決済サーバ装置５００との通信を中継してもよい。
【０１２４】
また、上述した実施形態では、決済サーバ装置５００から取得した物販決済用読取画像を用いて物販決済を行ったが、他の端末装置１０に表示された物販決済用読取画像を複製して同様の物販決済処理を行ってもよい。
【０１２５】
図２０は、実施形態における物販決済用読取画像の複製の様子を示す図である。図２０の例では、複数の端末装置１０の一例として、３つの端末装置１０−１〜１０−３を示している。例えば、端末装置１０−１は、上述したように決済サーバ装置５００に対して物販決済用コードの取得処理を行い、表示部１２に物販決済用読取画像を表示することができる。
【０１２６】
一方、端末装置１０−２、１０−３は、端末装置１０−１の表示部１２に表示された物販決済用読取画像を、端末装置１０−２、１０−３が備える撮像部で撮像し、撮像された物販決済用読取画像をそれぞれの表示部１２に表示させる。各端末装置１０−２、１０−３は、撮像部により得られた画像に含まれる、端末装置１０−１の表示部１２に表示された物販決済用読取画像を、各端末装置１０−２、１０−３における物販決済用読取画像として用いることで、複数の端末装置１０−１〜１０−３が決済機器３００に対する物販決済処理を行うことができる。この場合、決済サーバ装置５００は、決済機器３００から各端末装置１０−１〜１０−３による第２の効力情報および決済情報を受信するが、それらの情報には、端末装置１０の識別情報等が含まれていない。そのため、それぞれの情報が端末装置１０−１の利用者の購入履歴として、購入履歴データベース５３６に格納される。なお、決済機器３００は、端末装置１０との通信時に端末装置１０の識別情報を受信し、第２の効力情報および決済情報とともに決済サーバ装置５００に送信してもよい。
【０１２７】
なお、上述の例では、他の端末装置１０に表示された物販決済用読取画像を、撮像部により撮像することで、物販決済用読取画像を複製したが、これに限定されるものではない。例えば、端末装置１０は、端末側通信部１３により他の端末装置１０と通信して、他の端末装置１０に記憶された物販決済用読取画像を取得してもよい。
【０１２８】
また、決済サーバ装置５００は、ある端末装置１０から物販決済用読取画像の取得要求を受け付けた場合、要求のあった端末装置１０だけでなく、予め設定された１または複数他の端末装置１０に物販決済用読取画像を送信してもよい。
【０１２９】
これにより、１つの物販決済用読取画像を複数の端末装置１０で共有できるため、端末装置１０ごとに物販決済用読取画像を取得する処理を行う必要がなく、利便性を向上することができる。また、複数の端末装置１０で実施された決済処理を１つのユーザＩＤに集約して管理することができる。
【０１３０】
以上説明した少なくとも一つの実施形態によれば、端末装置１０は、画像を表示する表示部１２と、外部装置（４００、５００）と通信する端末側通信部１３と、端末側通信部１３により外部装置（４００、５００）から受信された情報に基づいて、自動改札機１００を通過するための第１画像を表示部１２に表示させる第１の表示制御部１５と、利用者の操作を受け付ける受付部１１と、受付部１１により受け付けられた利用者の操作に基づいて、物販の決済を行うための第２画像を表示部１２に表示させるための情報を、端末側通信部１３を用いて外部装置（４００、５００）に送信させ、端末側通信部１３によって外部装置（４００、５００）から受信した情報に基づいて、第２画像を表示部１２に表示させる第２の表示制御部１７と、を備えることにより、利便性を向上させることができる。
【０１３１】
具体的には、少なくとも一つの実施形態によれば、端末装置１０に自動改札機１００を通過するための第１画像と、物販の決済を行うための第２画像とを利用者の操作等により容易に切り替えて表示することができるため、端末装置１０を保有する利用者による入出場の管理と、端末装置１０による物販の決済とを容易に行うことができる。
【０１３２】
したがって、例えば、外国から観光客等が、日本国内で鉄道等の交通システムを利用したり、少額物品決済を行う場合に、交通系の決算を行う専用のＩＣカードを取得したり、帰国時にＩＣカードにチャージされた電子マネーを払い戻したり、ＩＣカードを返却する必要がないため、利用者の負担を軽減することができる。また、短期利用されることによるＩＣカードの費用負担も軽減することができる。
【０１３３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１３４】
１…鉄道利用管理システム、１０…端末装置、１１…操作部（受付部）、１２…表示部、１３…端末側通信部、１４…乗車券購入処理部、１５…第１の表示制御部、１６、５２４…物販決済処理部、１７…第２の表示制御部、３０…端末側記憶部、３１…乗車券購入アプリ、３２…物販決済アプリ、１００…自動改札機、２００…駅務サーバ装置、３００…決済機器（画像読取装置）、４００…センターサーバ装置（管理装置）、５００…決済サーバ装置（決済装置）、５１０…決済サーバ側通信部、５２０…決済サーバ側制御部、５２２…アプリ連携処理部、５３０…決済サーバ側記憶部
【図１】
2018022451.tif 000003
【図２】
2018022451.tif 000004
【図３】
2018022451.tif 000005
【図４】
2018022451.tif 000006
【図５】
2018022451.tif 000007
【図６】
2018022451.tif 000008
【図７】
2018022451.tif 000009
【図８】
2018022451.tif 000010
【図９】
2018022451.tif 000011
【図１０】
2018022451.tif 000012
【図１１】
2018022451.tif 000013
【図１２】
2018022451.tif 000014
【図１３】
2018022451.tif 000015
【図１４】
2018022451.tif 000016
【図１５】
2018022451.tif 000017
【図１６】
2018022451.tif 000018
【図１７】
2018022451.tif 000019
【図１８】
2018022451.tif 000020
【図１９】
2018022451.tif 000021
【図２０】
2018022451.tif 000022